(57)【要約】【課題】  従来の、本来の体型に合わない後下がりのウエストラインのままで下部外衣を作った場合、体と体の動きに合わないためシルエットが崩れやすく、着心地が悪いだけでなく、体型及び体のバランスを崩す物になってしまう。【解決手段】  下部外衣の原型において、ウエストラインを前下がりに形成する。更に効果を上げるために、その原型を用いて作成した下部外衣の腹部から腰部の全周に見返しを形成し、アンダーウエストの位置で下部外衣を支えるような構成をとった下部外衣。【選択図】  図１  
2005264409.tif 000002
【特許請求の範囲】
【請求項１】
下部外衣の原型であって、
前記原型は前方中央部の前中心線、後方中央部の後中心線、及び原型のウエストラインを有し、
前記原型のヒップライン近傍の基準線Ｈから前記前方中央部の前中心線と前記原型のウエストラインとの交点までの垂直距離を、基準線Ｈから前記後方中央部の後中心線と前記原型のウエストラインとの交点までの垂直距離より短く形成したことを特徴とする下部外衣の原型。
【請求項２】
請求項１記載の原型を用いて前記下部外衣を形成し、
前記下部外衣の上端部からヒップライン近傍にかけて見返しを形成し、
前記見返しは見返しの前中心線、見返しの脇線、見返しの後中心線を有し、
前記見返しの前中心線の長さを前記見返しの後中心線の長さより短く形成したことを特徴とする下部外衣。
【請求項３】
前記見返しの後中心線の近傍に、前記見返しの伸縮性及び前記下部外衣の表地の生地の伸縮性より乏しい低伸縮性芯地を設け、
前記低伸縮性芯地の脇側左右端から見返しの脇線の近傍、及び前記低伸縮性芯地の下端から見返しの下端にわたって、前記低伸縮性芯地より伸縮性があり、前記見返しまたは前記下部外衣の表地の生地より伸縮性が劣る中伸縮性芯地を設けた請求項２に記載の下部外衣。
【請求項４】
前記見返しの前中心線の近傍に前記低伸縮性芯地および前記中伸縮性芯地を設けていない請求項３に記載の下部外衣。
【請求項５】
下部外衣は前方中央部の前中心線、後方中央部の後中心線、及び下部外衣のウエストラインを有し、
前記下部外衣のヒップライン近傍の基準線Ｈから前記前方中央部の前中心線と前記下部外衣のウエストラインとの交点までの垂直距離を、基準線Ｈから前記後方中央部の後中心線と前記下部外衣のウエストラインとの交点までの垂直距離より短く形成し、
前記下部外衣の上端部からヒップライン近傍にかけて見返しを形成し、
前記見返しは見返しの前中心線、見返しの脇線、見返しの後中心線を有し、
前記見返しの前中心線の長さを前記見返しの後中心線の長さより短く形成し、
前記見返しの後中心線の近傍に、前記見返しの伸縮性及び前記下部外衣の表地の生地の伸縮性より乏しい低伸縮性芯地を設け、
前記低伸縮性芯地の脇側左右端から見返しの脇線の近傍、及び前記低伸縮性芯地の下端から見返しの下端にわたって、前記低伸縮性芯地より伸縮性があり、前記見返しまたは前記下部外衣の表地の生地より伸縮性が劣る中伸縮性芯地を設けたことを特徴とする下部外衣。  
【発明の詳細な説明】
【技術分野】
【０００１】
スカートまたはスラックスの原型及びこの原型を用いて製作されたスカートまたはスラックスに関する。
【背景技術】
【０００２】
従来、スカートまたはスラックス（以下「下部外衣」という。）の原型において、完成後の下部外衣のウエストラインは、本来の体のウエストラインがやや前下がりであるにもかかわらず、ウエストの位置で後下がりになるように形成されていた。つまり、通常下部外衣の原型ではＣ（前方中央部の前中心線５１とスカートのウエストライン５３とが交差する点から、ヒップライン近傍の基準線Ｉまでの垂直距離）がＤ（後方中央部の後中心線５２とスカートのウエストライン５３とが交差する点から、ヒップライン近傍の基準線Ｉまでの垂直距離）より長く（Ｃ＞Ｄ）（図７参照）形成されていた。このため、座ったときに下部外衣の前丈が余り、後丈が足りなくなり、余った前丈の部分はヒダ状に寄り、ウエストベルト部３の後側が下方に引っ張られることになっていた（図８参照）。このため、ウエストベルト部３が腹部を圧迫し、窮屈感がでることがあった。（例えば、特許文献１、２参照）
また、下部外衣の原型には、ウエストベルトの寸法にゆるみ分として、通常、ヌードウエスト寸法（下部外衣を着用していないときのウエスト寸法）に、立っているときに必要な最低寸法である１．５〜２ｃｍが加えられているが、この最低寸法は動作（起立、着座など）による体の寸法差として加えられているものでは無い。なお、変化する寸法に関しては、体型や時間帯において個人差はあるものの、ヌードウエスト寸法は座った時の方が立っている時より４〜５ｃｍ大きくなり、又、前丈は１〜２ｃｍ短く、後丈は４〜５ｃｍ長くなる。    
【特許文献１】実用新案第３０００９２３号公報
【特許文献２】実開平３−７４６０８号公報
【発明の開示】
【発明が解決しようとする課題】
【０００３】
しかしながら、従来の後下がりの設定のままでウエスト寸法に前記寸法差４〜５ｃｍを加えて作った場合、美しいシルエットは得られず、着心地の悪いウエストサイズの大きい下部外衣となり、ファッション性のない不格好なものになってしまう。また、作られている下部外衣のほとんどが、従来の下部外衣の原型に基づいて作成されていたので、座ったときウエストが締付けられ、後へ引っ張られるようになっても、そういうものであるとして着用されていた。また、自分の体型に合っていない下部外衣を着用していると、少しずつ体型が変化していく。その変化が本当に少しずつであるため、本人が気づかないうちに姿勢の歪みや骨格のズレなどが生じ、それによって体の故障（肩こり・腰痛など）が発生しているケースが少なくない。又、加齢や生活習慣によっても体型は日々変化していくので、外見的にも体型のバランスは崩れていく。
【０００４】
本願発明は係る課題に鑑み、動作によって変化する体の寸法差を下部外衣の原型上で操作し、着心地の悪さや不快感、例えば、座ったときや食事後の締付け、座ったときに下部外衣後側の下方への引張り等を解消すると共に、下部外衣を体のウエストラインに固定して締めた状態で支えるのではなく、体のウエストラインより下の位置であるアンダーウエストの位置で体がリラックスした状態で支えることにより、下部外衣が美しいシルエットを保ち、且つ、バランスの取れた体型を保つことのできる下部外衣を提供することを目的としている。
【課題を解決するための手段】
【０００５】
上記課題を解決するため、本願発明の下部外衣の原型及び下部外衣は、前記原型は前方中央部の前中心線、後方中央部の後中心線、及び原型のウエストラインを有し、前記原型のヒップライン近傍の基準線Ｈから前記前方中央部の前中心線と前記原型のウエストラインとの交点までの垂直距離を、基準線Ｈから前記後方中央部の後中心線と前記原型のウエストラインとの交点までの垂直距離より短く形成したことで、本来の体型に合った、前下がりのウエストラインが設定される。そして、このようにウエストラインを形成し、そのウエストラインにウエストベルト部を付して原型を完成させると、ウエストベルト部の前方において体との間に隙間が出来る。
【０００６】
また、前記原形を用いて前記下部外衣を形成し、前記下部外衣の上端部からヒップライン近傍にかけて見返しを形成し、前記見返しは見返しの前中心線、見返しの脇線、見返しの後中心線を有し、前記見返しの前中心線の長さを前記見返しの後中心線の長さより短く形成したことで、体の安定した位置でスカートを支えることのできる見返しが形成される。
【０００７】
また、前記見返しの伸縮性及び前記下部外衣の表地の生地の伸縮性より乏しい低伸縮性芯地を設け、前記低伸縮性芯地の脇側左右端から見返しの脇線の近傍、及び前記低伸縮性芯地の下端から見返しの下端にわたって、前記低伸縮性芯地より伸縮性があり、前記見返しまたは前記下部外衣の表地の生地より伸縮性が劣る中伸縮性芯地を設けたことで、さらに体の動きと動作による変化に対応しながら体の安定した位置でスカートを支えることのできる見返しが形成される。
【０００８】
また、前記見返しの前中心線の近傍に前記低伸縮性芯地および前記中伸縮性芯地を設けていないことで、下部外衣を着用して座ったときに、腹部に対する圧迫感を少なくすることができる。
【０００９】
また、下部外衣は前方中央部の前中心線、後方中央部の後中心線、及び下部外衣のウエストラインを有し、前記下部外衣のヒップライン近傍の基準線Ｈから前記前方中央部の前中心線と前記下部外衣のウエストラインとの交点までの垂直距離を、基準線Ｈから前記後方中央部の後中心線と前記下部外衣のウエストラインとの交点までの垂直距離より短く形成し、前記下部外衣の上端部からヒップライン近傍にかけて見返しを形成し、前記見返しは見返しの前中心線、見返しの脇線、見返しの後中心線を有し、前記見返しの前中心線の長さを前記見返しの後中心線の長さより短く形成し、前記見返しの後中心線の近傍に、前記見返しの伸縮性及び前記下部外衣の表地の生地の伸縮性より乏しい低伸縮性芯地を設け、前記低伸縮性芯地の脇側左右端から見返しの脇線の近傍、及び前記低伸縮性芯地の下端から見返しの下端にわたって、前記低伸縮性芯地より伸縮性があり、前記見返しまたは前記下部外衣の表地の生地より伸縮性が劣る中伸縮性芯地を設けることもできる。
【発明の効果】
【００１０】
ウエストラインの設定を後下がりから前下がりにすることで、動作による体の変化に対応できる下部外衣の原型が形成される。また、その原型を用いた下部外衣は、日常の動作の中で、そのシルエットが美しく保たれると共に、従来下部外衣を着用することにより発生していたウエストラインの窮屈感や不快感を解消することができる。又、見返しを付けた下部外衣を着用することにより、体がリラックスした状態（ストレスや緊張を感じない健全な状態）を保つことになるので、体型のバランスが保たれ、体型の歪みや崩れを防ぐ効果がある。
【発明を実施するための最良の形態】
【００１１】
本願発明の下部外衣の一実施形態を図面を参照しつつ説明する。
【００１２】
図１は原型を用いて形成されたスカートの上側に、ウエストベルト部３を設けたスカート１に見返し２を付けた場合の図であり、（ａ）正面図、（ｂ）側面図、（ｃ）後面図である。
【００１３】
図１に示すように、ウエストベルト部３を有するスカート１は、着用時に後述するアンダーウエストの位置と対応する位置に見返し２が設けられている。また、このウエストベルト部３の下端にはスカートの原型のウエストライン２６に対応するスカートのウエストライン２６ａが設けられている。そして、この見返し２はウエストベルト部３の上端で表地の生地と連なり、この表地の生地の内側に形成されている。また、スカート１は、床面に水平なヒップライン近傍の基準線Ｈから前方中央部の前中心線４ａとスカートのウエストライン２６ａとが交差するところまでの垂直距離Ａａが、床面に水平なヒップライン近傍の基準線Ｈから後方中央部の後中心線５ａとスカートのウエストライン２６ａとが交差するところまでの垂直距離Ｂｂに比べて短くなるように（Ａａ＜Ｂｂ）形成されている。
【００１４】
また、見返し２は、後述するように見返しの前中心線５５が見返しの後中心線５４より短くなるように形成されており（図３参照）、この見返しはスカートを支える目的で形成されるので、動作上変化の少ないアンダーウエストの位置で体型に相応する形状と構成になっている。
【００１５】
図２はスカート原型の右側の図であり、（ａ）右前方部の図、（ｂ）右後方部の図である。
【００１６】
図２に示すように、ヒップライン近傍の基準線Ｈから前方中央部の前中心線４とスカートの原型のウエストライン２６との交点までの垂直距離Ａを、基準線Ｈから後方中央部の後中心線５とスカートの原型のウエストライン２６との交点までの垂直距離Ｂより短く（Ａ＜Ｂ）なるようにスカートの原型のウエストライン２６を構成する。このように構成することが、本来の体型に合ったスカートの原型のウエストライン２６であり、又、この様にウエストラインを構成することにより、体の動きによる寸法の変化に対応できるスカートの原型を形成することができる。また、図２（ａ）に示すように、右前側原型８は、スカートの原型のウエストライン２６から体の前部の形状（腹部の丸み、腰骨の形など）を形成するため２本のダーツが形成されている。この２本のダーツは、前方中央部の前中心線４に近い方から順に右第１前ダーツ部１２、右第２前ダーツ部１３が形成されており、体の前部の形状に対応させるために、右第１前ダーツ部１２は右第２前ダーツ部１３より深く（長く）形成されている。これは腰骨の位置が腹部の一番出ている部分より高い位置であるためである。そして、図２（ｂ）に示すように、右後側原型９は、スカートの原型のウエストライン２６から体の後部の形状（尻部の丸みなど）を形成するため２本のダーツが形成されている。この２本のダーツは、後方中央部の後中心線５に近い方から順に右第１後ダーツ部１４、右第２後ダーツ部１５が形成されており、体の後部の形状に対応させるために、右第１後ダーツ部１４は右第２後ダーツ部１５より深く（長く）形成されている。これは尻部の丸みの形状が後中心側の方が低い位置であるためである。このような構成により原型は作成される。この原型をもとに形成されたスカートの上側に、ウエストベルト部３（幅約２．５ｃｍ〜３．０ｃｍ）を設けることで、図１に示すようなスカート１が形成され、着心地が良く体型にあったスカートができる。また、スカート１（図１参照）の見返し２をこの原型に対応させると、斜線で示したところに位置する。
【００１７】
図３は本願発明の原型を用いて形成されたスカートの上側にウエストベルト部３を設けた場合の、図１に示すスカート１左側の見返し２の展開図である。
【００１８】
図３に示すように、見返し２は見返しの後中心線５４に比べ見返しの前中心線５５を短く形成し、見返しの前中心線５５に比べて見返しの脇線５６を更に短く形成している。これは、見返し２が体の動きの少ない安定した位置（アンダーウエストの位置）に対応する形状を持ち、スカートを支えるため、体にフィットした形で設けられているからである。また、見返し２は性質の違う複数の芯地を有しており、大きく２つに分けることができる。一つは、ほとんど伸縮性がない低伸縮性芯地２０（表地を安定させるタイプの芯地）、もう一つは、低伸縮性芯地２０に比べて伸縮性のある中伸縮性芯地１９（表地に追従するタイプの芯地）である。この低伸縮性芯地２０は、見返しの後中心線５４の近傍部分に設けられている。また、中伸縮性芯地１９は、低伸縮性芯地２０の脇側左右端（右第２後ダーツ部１５及び左第２ダーツ部（図示せず））から見返しの脇線５６の近傍部分及び低伸縮性芯地２０の下端から下側に設けられている。見返し２に低伸縮性芯地２０を設けた場合、その部分の表地はほとんど延びることがなくなり、スカートを着用して座ったり立ったりしたときでも見返し２において低伸縮性芯地２０を設けた部分は伸縮せず、腸骨の上端近傍から仙骨角近傍の範囲にフィットして安定させる機能を有することになる。そして、低伸縮性芯地２０は伸縮性がないので、中伸縮性芯地１９が低伸縮性芯地２０の周囲の体の動きにともなう伸縮力を吸収し、体の姿勢変化に対する見返し２の適応性を上げる機能をすることになる。また、見返しの脇線５６の近傍には中伸縮性芯地１９が用いられ、骨盤への見返し２の当たりをソフトにしながらも体にフィットさせ、体の動きに合わせられるようになっている。また、見返しの前中心線５５の近傍部分には表地のみをバイアス地にして使用する（低伸縮性芯地及び中伸縮性芯地を設けていない）ことにより見返しを構成し、動作による見返しの前中心線５５の近傍の形状変化と自然に合い、体への負担が感じられないようになっている。そして、ウエストベルト部３の見返し２と表地との間にはゴム芯が設けられており、材質の異なる２種類のゴム芯で形成されている。このゴム芯２３の見返しの脇線５６の近傍の前側から見返しの後中心線５４までは、あまり伸縮機能のない低伸縮（ハードタイプ）ゴム芯２２で形成され、見返しの脇線５６の近傍及び見返しの後中心線５４の近傍の体を、安定させるように構成されている。また、このゴム芯２３の見返しの脇線５６の近傍の前側から見返しの前中心線５５の近傍は、伸縮機能のある高伸縮（ソフトタイプ）ゴム芯２１で形成され、見返しの前中心線５５の近傍の体が圧迫感を感じないように構成されている。又、一般的に表地のみで作られたスカートは、ダーツを体の形に合わせて設けたとしても、ピッタリと体にフィットしたものではないので、この発明の効果をより上げるためには、スカートを確実に支えるための、体にフィットする部分が必要となり、前述のアンダーウエストの位置でスカートを支えることができる見返しが必要となってくる。この見返しを加えることで、アンダーウエストの位置でスカートを支えることができるので、ウエストベルト部３の寸法にさらにゆとりを加えて大きくしても、シルエットの崩れもなく、着心地の良さを保持することができ、より体型のバランスを保つことのできる下部外衣が形成されることになる。
【００１９】
図４は本願発明のスカートのウエストライン２６ａにウエストベルト部３を付けて着用した状態と、従来のスカートのウエストライン５３ａにウエストベルト部３を付けて着用した場合の腹部におけるゆとり分の模式的比較図であり、（ａ）は本願発明の右側面図、（ｂ）は従来の右側面図である。また、図５は本願発明のスカート１を着用した時の模式図であり、（ａ）は着座及び起立したときの図、（ｂ）は着座時のウエスト部の拡大図である。
【００２０】
図４に示すように、スカートを着用した場合、図４（ｂ）の従来のスカートでは、体のウエストライン２８に対してスカートのウエストライン５３ａが後下がりであるため、スカートを立ったままの姿勢で着用する場合問題は少ないが、座った場合は、座った時の体の状態は立った状態に比べて腹部は縮み、腰部後方は延びるので、スカートは前丈が余ってその布地はヒダ状になり、後丈は足りなくなる。そして、ウエストベルト部３は後の下方に引っ張られた状態になる（スカートのウエストベルト部３は体のウエストライン２８上の支点Ｏを中心に角度θ１回転する（図８参照））。このウエストベルト部３が後の下方に引っ張られることで、腹部はスカートのウエストベルト部３によって圧迫され、体に窮屈感を与えることになる（図８参照）。一方、図４（ａ）の本願発明のスカート１を立って着用した状態では、体のウエストライン２８に対してスカートのウエストライン２６が前下がりになり、ウエストベルト部３は、体のウエストライン２８上の支点Ｏを中心に前方へ傾いた状態になる（図５参照）。よって、ウエストベルト部３の前方部と体との間には約２〜５ｃｍの隙間Ｌができ、この隙間Ｌが座った時に太くなるウエストの寸法差（通常約４〜５ｃｍ）を事前に吸収することができる。又、座った場合は、従来のスカートのウエストライン５３ａを有するスカートを、着用した場合と比べて、前丈が余る分量も少なくなり、後丈の不足分も少なくなるので、ウエストベルト部３が後の下方へ引っ張られる力も弱くなる（スカートのウエストベルト部３は体のウエストライン２８上の支点Ｏを中心に角度θ２回転する（図５参照））。
【００２１】
次に、見返し２を体に最適な形状にするための計測具であるカーブバランスメジャー４０について説明する。
【００２２】
図６は、本願発明のスカートの見返し２を作成する際に、見返し２を体に合った寸法にするためのカーブバランスメジャー４０を示した図であり、（ａ）はカーブバランスメジャー４０の模式図、（ｂ）はカーブバランスメジャー４０を計測部に取付けた際の図である。
【００２３】
前記見返しをアンダーウエストの位置で体にフィットさせるためには、アンダーウエスト部において詳細な採寸が必要となってくる。この採寸をするためには、各部を計測できる計測手段であるカーブバランスメジャー４０を用いることが必要である。
【００２４】
図６に示すように、計測手段であるカーブバランスメジャー４０は帯部４１とウエストメジャー４５とを有しており、帯部４１は腰骨より下側（腰骨を含む）の範囲を計測するために用いられ、また、ウエストメジャー４５はウエスト部の寸法を計測するために用いられる。ここで、帯部４１は腰骨より下側（腰骨を含む）の範囲をさらに詳しく計測するために、目盛りを有する第１メジャー４２、第２メジャー４３、第３メジャー４４を設けており、腹部の詳細な値を計測できるようになっている。また、第１メジャー４２、第２メジャー４３、第３メジャー４４、及びウエストメジャー４５には、第１金具（バックル）４７、第２金具（バックル）４８、第３金具（バックル）４９、及びウエスト金具５０が設けられており、寸法計測時に調整ができ、容易に計測ができるようになっている。そして、帯部４１の中心部には補強部４６が設けられ、補強部４６の上部にウエストメジャー４５が取付けられている（補強部４６の中心部を中心に約６ｃｍの範囲）。これにより、帯部４１とウエストメジャー４５とが別々に動くことができるようになっている。
【００２５】
この帯部４１は、表裏で異なる素材のもので構成されており、体に接する裏側には体になじみ易く測定時の誤差を少なくするため、薄手のストレッチ又はニットなどの伸縮のある素材が用いられている。また、体に接しない表側には体になじみ易く、目盛りを見ることが出来るように、ニットまたはメッシュなどの伸縮があって透ける素材が用いられている。このような素材を用いることで、ある程度の強度を保ちながら軽量で、繰返し使用しても壊れることのない耐久性のあるものにすることができる。
【００２６】
このカーブバランスメジャー４０を用いた計測手順としては、立った状態でウエストメジャー４５をウエスト金具５０で固定し、ウエスト部の一番細いところを水平に計測する。そして、帯部４１を体の腰部後側から体に添わせフィットさせながらお腹の一番出ているところで第３メジャー４４を第３金具４９で固定する。その後、順に第２メジャー４３の第２金具４８、第１メジャー４２の第１金具４７を固定し、第１メジャー４２、第２メジャー４３、第３メジャー４４が安定していることを確認した後、それぞれの寸法を計測する。全ての寸法が計測した後は、ウエストメジャー４５をフリーにして椅子にゆっくりとすわり、座ると共に大きくなっていくウエスト部に合わせてウエストメジャー４５をゆるめ、大きくなったウエスト部の寸法を計測する。
【００２７】
カーブバランスメジャー４０を用いてこのような手順で計測することで、見返し２の形成に必要なデーターを収集することができ、体型に合った最適な見返し２を形成することができる。
【００２８】
ここで、カーブバランスメジャー４０が計測する寸法は、衣服を着用していないときの寸法である。また、本願発明は前記のように、帯部４１に第１メジャー４２、第２メジャー４３、第３メジャー４４を用いているが、この３本に限定することなく、見返し２の作成精度に応じて、一または複数本のメジャーを用いてもよい。
【００２９】
上述のように、スカートの原型のウエストラインを、後下がりのスカートの原型のウエストライン５３から前下がりのスカートの原型のウエストライン２６にすることで、着用時の圧迫感や不快感を解消できると共に、安定したウエストラインが確保され、日常の動作の中でも美しいシルエットを保つことができる下部外衣が形成される。また、この見返し２を下部外衣に付けた場合、体型別においても、サイズにおいても、デザイン上で拘束される条件はなく（下部外衣の表地には影響しないため）、下部外衣を構成する上での影響は全く生じない。  
【産業上の利用可能性】
【００３０】
婦人用及び紳士用衣料に利用することが可能である。
【図面の簡単な説明】
【００３１】
【図１】本願発明の原型を用いて形成されたスカートの上側に、ウエストベルト部３を設けたスカート１に見返し２を付けた場合の図であり、（ａ）正面図、（ｂ）側面図、（ｃ）後面図である。
【図２】本願発明のスカート原型の右側の図であり、（ａ）右前方部の図、（ｂ）右後方部の図である。
【図３】本願発明の原型を用いて形成されたスカートの上側にウエストベルト部３を設けた場合の、図１に示すスカート１左側の見返し２の展開図である。
【図４】本願発明のスカートのウエストライン２６ａにウエストベルト部３を付けて着用した状態と、従来のスカートのウエストライン５３ａにウエストベルト部３を付けて着用した場合の腹部におけるゆとり分の模式的比較図であり、（ａ）は本願発明の右側面図、（ｂ）は従来の右側面図である。
【図５】本願発明のスカート１を着用した時の模式図であり、（ａ）は着座及び起立したときの図、（ｂ）は着座時のウエスト部の拡大図である。
【図６】本願発明のスカートの見返し２を作成する際に、見返し２を体に合った寸法にするためのカーブバランスメジャー４０を示した図であり、（ａ）はカーブバランスメジャー４０の模式図、（ｂ）はカーブバランスメジャー４０を計測部に取付けた際の図である。
【図７】従来の一般的なスカート原型の右側の図であり、（ａ）右前方部の図、（ｂ）右後方部の図である。
【図８】従来のスカートを着用した時の模式図であり、（ａ）は着座及び起立したときの図、（ｂ）は着座時のウエスト部の拡大図である。
【符号の説明】
【００３２】
１  スカート
２  見返し
３  ウエストベルト部
４  前方中央部の前中心線
５  後方中央部の後中心線
８  右前方部原型
８ａ  スカート右前方部
９  右後方部原型
９ａ  スカート右後方部
１０  左前方部原型
１０ａ  スカート左前方部
１１  左後方部原型
１１ａ  スカート左後方部
１９  中伸縮性芯地
２０  低伸縮性芯地  
２６、５３  スカートの原型のウエストライン
２６ａ、５３ａ  スカートのウエストライン
２８  体のウエストライン
２９  後中心部  
３０  前中心部
４０  カーブバランスメジャー
４１  帯部
４２  第１メジャー
４３  第２メジャー
４４  第３メジャー
４５  ウエストメジャー
５４  見返しの後中心線
５５  見返しの前中心線
５６  見返しの脇線
Ｈ、Ｉ  ヒップライン近傍の基準線
Ｌ  隙間
【図１】
2005264409.tif 000003
【図２】
2005264409.tif 000004
【図３】
2005264409.tif 000005
【図４】
2005264409.tif 000006
【図５】
2005264409.tif 000007
【図６】
2005264409.tif 000008
【図７】
2005264409.tif 000009
【図８】
2005264409.tif 000010